(57)【要約】      （修正有）【課題】自分自身で作製でき、自分オリジナルであり、履き心地が良く、また、外観がスマートなスリッパを提供する。【解決手段】履物の底に用いられる底部品１００と、前記底部品の上部に用いられる下敷き部品１０２と、前記下敷き部品の上に用いられ、足の甲に対応する部品１０１とからなる履物作製セットを用いる。さらに、前記下敷き部品に接着剤を塗布するための足形状の接着剤型をさらに含む履物作製セットを用いる。【選択図】図１
0003176049.tif 000002
【実用新案登録請求の範囲】
【請求項１】
履物の底に用いられる底部品と、
前記底部品の上部に用いられ、布地で覆われる元となる下敷き部品と、
前記下敷き部品の上に用いられ、布地で覆われる元となる足の甲に対応する部品とからなる履物作製セット。
【請求項２】
前記下敷き部品に接着剤を塗布するための足形状の接着剤型をさらに含むことを特徴とする請求項１記載の履物作製セット。
【請求項３】
前記接着剤型は、対向する凹部をその両端に有することを特徴とする請求項１記載の履物作製セット。
【請求項４】
前記下敷き部品には、接着剤を塗布する凹部形状の印がされていることを特徴とする請求項１記載の履物作製セット。
【請求項５】
前記下敷き部品用の布地を切断する型をさらに有することを特徴とする請求項１から４のいずれか１項に記載の履物作製セット。
【請求項６】
前記足の甲に対応する部品用の布地を切断する型をさらに有することを特徴とする請求項１から５のいずれか１項に記載の履物作製セット。
【請求項７】
前記底部品は、右足用底部品と左足用底部品とからなることを特徴とする請求項１から６のいずれか１項に記載の履物作製セット。
【請求項８】
前記下敷き部品は、右足用下敷き部品と左足用下敷き部品とからなることを特徴とする請求項１から７のいずれか１項に記載の履物作製セット。
【請求項９】
前記足の甲に対応する部品は、２個である請求項１から８のいずれか１項に記載の履物作製セット。
【考案の詳細な説明】
【技術分野】
【０００１】本考案は、履物作製セットに関するものに関する。
【背景技術】
【０００２】従来、自分自身でスリッパの模様を自分だけのオリジナルなものにするには、スリッパにオリジナルのカバーをかぶせる方法があった（特許文献１）。
【先行技術文献】
【特許文献】
【０００３】
【特許文献１】特開２００１−６１５０４号公報
【考案の概要】
【考案が解決しようとする課題】
【０００４】  上記の方法では、スリッパの履き心地が悪く、また、外観が膨れ、スマート性に欠けていた。本願考案では、自分自身で作製でき、自分オリジナルであり、履き心地が良く、また、外観がスマートなスリッパを実現する。
【課題を解決するための手段】
【０００５】  上記課題を解決するために、履物の底に用いられる底部品と、前記底部品の上部に用いられる下敷き部品と、前記下敷き部品の上に用いられ、足の甲に対応する部品とからなる履物作製セットを用いる。
【考案の効果】
【０００６】  本考案のスリッパ組み立てセットを用いれば、自分だけのオリジナルなスリッパを簡単に作製できる。自分の好みの布地でスリッパを自分で簡単に作製できる。
【図面の簡単な説明】
【０００７】
【図１】本考案のスリッパ作製ユニットを用いてできたスリッパの図
【図２】（ａ）〜（ｆ）本考案のスリッパ作製ユニットの構成物の図
【図３】本考案のスリッパ作製ユニットを用いたスリッパ作製フローの図
【図４】（ａ）〜（ｆ）本考案のスリッパ作製ユニットを用いたスリッパ作製フローの一部を説明する図
【図５】（ａ）〜（ｆ）本考案のスリッパ作製ユニットを用いたスリッパ作製フローの図
【図６】（ａ）、（ｂ）本考案のスリッパ作製ユニットの変形例を示す図
【考案を実施するための形態】
【０００８】（完成品）
図１は、本考案の履物作製ユニットを用いて、作製されたスリッパである。スリッパの布地を自分で選択して、自分好みのスリッパを作製できる。大きく３つの部分からなる。履物の下面に位置する足の裏の形状をした足底部品１００と、足の甲を支える、扇形の先端部をカットした形状の足の甲部品１０１と、足の裏と足底部品１００との間に位置する、足の形をした下敷き部品１０２である。
【０００９】（構成品）
図２に本考案の履物作製ユニットを示す。図２（ａ）の足の甲の型１０と、図２（ｂ）の下敷き型１１と、図２（ｃ）の接着剤型１２と、図２（ｄ）の足の甲部品１３、２枚と、図２（ｅ）の左下敷き１４ａと、右下敷き１４ｂと、図２（ｆ）左足底部品１５ａと、右足底部品１５ｂとからなる。いずれも、平坦なひらべったいものである。ただし、左足底部品１５ａと、右足底部品１５ｂは、履物の下面に位置するもので、凹凸を有する。
【００１０】  図２（ａ）の足の甲の型１０は、足の甲に相当する部分の布地を切り抜く型である。設定した足の甲と同じ大きさである。左右の足に対して１つの型で、その裏表を使用して対応する。
図２（ｂ）の下敷き型１１は、右足、左足の底面に相当する下敷き部品１０２の布地を切り抜く型である。足の形状である。１つであるが、表と裏で、左右の足の底面の布地を切り抜く。
【００１１】  図２（ｃ）の接着剤型１２は、下敷き部品１０２を組み立てる時に、下敷き部品１０２に接着剤を塗るときに使用する型である。
図２（ｄ）の足の甲部品１３は、足の甲を覆う軟らかいシート材料である。例えば、トリコットＥＶＡを使用する。図１の足の甲部品１０１となるところである。扇形の先方をカットした形状である。
図２（ｅ）の左下敷き１４ａ、右下敷き１４ｂは、それぞれ、右、左の足の底に用いる板である。図１の完成品の下敷き部品１０２となるところである。
図２（ｆ）の左足底部品１５ａと、左足底部品１５ａは、それぞれ、右、左の足の底のクッション材である。図１の完成品の足底部品１００となるところである。
【００１２】  上記の構成物は、Ｌ，Ｍ，Ｓなどの分類で大きさが異なるものを用意できる。上記のそれぞれの材質は、一般に履物で使用されている材質のものを使用する。
【００１３】（作製方法）
図３と図４と図５を用いて、自分オリジナルスリッパを作製する方法と説明する。図３は、全体の流れを説明するフロー、図４は、前半の工程を説明する図、図５は後半の工程を説明する図である。
図３の工程ａでは、図２（ａ）から図２（ｆ）の各部材を用意する。また、布地と接着剤、はさみなどを別途、用意する。
工程ｂでは、図２（ａ）の足の甲の型１０を布地に押し当て、線などを引き、足の甲部品の布地２０（図４（ａ））を、２枚切り抜く。また、図２（ｂ）の下敷き型１１の表と裏を使用して、左下敷きの布地２１ａ、右下敷きの布地２１ｂ（図４（ｂ））を切り抜く。
【００１４】  工程ｃは、接着剤にて工程ｂのそれぞれの布地を貼る工程である。
図４（ａ）の足の甲部品の布地２０を、図２（ｄ）の足の甲部品１３に、接着剤を用いて張る。結果、図４（ｃ）に示す足の甲部品１０１（図１）ができる。足の甲部品の裏２２ａと足の甲部品の表２２ｂを示す。表は全体が布地で覆われるが、裏は覆われない。
図４（ｂ）の左下敷き部品の布地２１ａと右下敷き部品の布地２１ｂを、図２（ｅ）の左下敷き１４ａと右下敷き１４ｂとにそれぞれ貼る。結果、図４（ｄ）、図４（ｅ）に示す下敷き部品１０２（図１）ができる。右下敷き部品の表２３ａ、右下敷き部品の裏２３ｂ、左下敷き部品の表２４ｂ、左下敷き部品の裏２４ａである。表は布地で全体が覆われ、裏は周辺が布地で覆われる。
【００１５】  工程ｄで、図４（ｃ）の足の甲部品１０１と、図４（ｄ）、図４（ｅ）の下敷き部品１０２とを接着剤で張り合わせる。この時の方法を、右足用を例にして、図５（ａ）〜図５（ｆ）で説明する。図５（ａ）は、右下敷き部品の裏２３ｂと接着剤型１２を示す。これらを重ね合わせると、図５（ｂ）となる。この時に、接着剤型１２の対向する２つの凹部が接着剤塗布領域３１であり、この部分に接着剤を塗布する。その後、足の甲部品１０１を、右下敷き部品の表２３ａに重ね（図５（ｃ））、足の甲１０１の両端部を、下敷き部品の裏面に折り曲げ、先ほどの接着剤塗布領域３１に重ね接着する（図５（ｄ））。
【００１６】  図５（ｄ）の接着したものと、図５（ｅ）の右足底部品１５ｂとを接着剤で接着すると完成する（図５（ｆ））。
（効果）
足の甲部品１３と左下敷き１４ａと右下敷き１４ｂと左足底部品１５ａを元に布地を貼るので、作製しやすい。
足の甲の型１０、下敷き型１１があるので、各部品を覆う布地が切り抜きやすい。
接着剤型１２があり、接着剤を、下敷き部品に塗布しやすい。
ここで、足の甲の部品１３と左下敷き１４ａ、右下敷き１４ｂと左足底部品１５ａ、右足底部品１５ｂは少なくとも必要な部材である。他の部材はあれば、さらによい。
【００１７】（変形例）
図４（ｆ）に、足の甲部品１０１の補強したものを示す。足の甲部品１０１の端部に補強部２５をつけたものである。補強部２５は、布地を長方形にカットし、二つ折りしたものを、足の甲部品１０１の端部に、まち針で仮止めし、ミシンや手で、縫ってとめたものである。好みに応じて、布地を三つ折り、四つ折りして補強部２５とできる。長方形の補強部２５の端辺（足の甲部品１０１側）を糸で縫ってとめている。この補強部２５により、足の甲部品１０１がしっかりする。この場合、足の甲部品１０１の前後両端部に、着けているので強度がさらに向上する。
【００１８】  図６（ａ）と図６（ｂ）に、図５（ａ）と図５（ｂ）の変形を示す。つまり、図５（ａ）、と５（ｂ）では、接着剤型１２を用いて、右下敷きの部品の裏２３ｂに、接着剤塗布領域３１を設け、その部分に接着剤を塗布していた。図６（ａ）では、右下敷き部品の裏２３ｂに、直接、接着剤塗布領域線６１を印し、その領域に接着剤を塗布することで、図５（ａ）、図５（ｂ）の接着剤塗布を実施できる。
なお、この考案はスリッパで説明してきたが、サンダル、靴、草履、スリッパなど履物に適用できる。
【産業上の利用可能性】
【００１９】履物に広く応用できる。
【符号の説明】
【００２０】１０  足の甲の型
１１  下敷き型
１２  接着剤型
１３  足の甲部品
１４ａ  左下敷き
１４ｂ  右下敷き
１５ａ  左足底部品
１５ｂ  右足底部品
２０  足の甲部品の布地
２１ａ  左下敷き部品の布地
２１ｂ  右下敷き部品の布地
２２ａ  足の甲部品の裏
２２ｂ  足の甲部品の表
２３ａ  右下敷き部品の表
２３ｂ  右下敷き部品の裏
２４ａ  左下敷き部品の表
２４ｂ  左下敷き部品の裏
２５  補強部
３１  接着剤塗布領域
６１  接着剤塗布領域線
１００  足底部品
１０１  足の甲部品
１０２  下敷き部品
【図１】
0003176049.tif 000003
【図２】
0003176049.tif 000004
【図３】
0003176049.tif 000005
【図４】
0003176049.tif 000006
【図５】
0003176049.tif 000007
【図６】
0003176049.tif 000008